(57)【特許請求の範囲】
【請求項１】
ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、床に下向きに貫通させて設置し、上記ポンプ軸を原動機で駆動するようにしてある立軸ポンプにおいて、上記エルボ管の背側上部に、ポンプ軸貫通部からエルボ管の外側方向へ水平に所要量張り出すように設置座を１個所だけ設け、且つ上記ポンプ本体を設置した床と同一床上に設置した原動機に連結させる水平入力軸と該水平入力軸側から回転力を上記ポンプ軸に伝えるようにする動力伝達機構を備えた動力伝達ユニットを、上記設置座に、該動力伝達ユニットに有する上部ケーシングの下面板に設けたベースを介して着脱可能に設置してポンプ本体に組み付けるようにした構成を有することを特徴とする立軸ポンプ。
【請求項２】
動力伝達ユニットの上部ケーシングの上面板と下面板に設けた軸挿通孔に挿通させて垂直出力軸を支持させるようにし、且つ上記下面板の軸挿通孔部分に油封装置を装備させると共に、エルボ管のポンプ軸貫通部に水封装置を装備させて、油封装置と水封装置を上下で対峙させるようにした請求項１記載の立軸ポンプ。
【請求項３】
水封装置の上面部に、トレイ部を形成した請求項２記載の立軸ポンプ。
【発明の詳細な説明】
【０００１】
【発明の属する技術分野】
本発明は低所の水を高所へ汲み上げるために用いる立軸ポンプに関するものである。
【０００２】
【従来の技術】
立軸ポンプは各種の排水設備等で用いられている。図７に示すものは、その一例として吸水槽の水を吐出水槽へ排水するように建屋の排水機場に立軸ポンプを設置して用いるようにしたもので、従来の立軸ポンプは、吸水槽１の上側に設けられたポンプ建屋４の下部の床３に、上下方向に延びるポンプ軸５と、該ポンプ軸５の下端部に取り付けた羽根車６を収容し且つ下端にベルマウス７を有する吐き出しボウル８と、該吐き出しボウル８上に順次連設した揚水管９及びエルボ管１０とからなるポンプ本体１１を、上記エルボ管１０の下端部位置がリング状の取付座１２を介して上記下部の床３に貫通支持されるように設置して、ポンプ本体１１を下部の床３に支持させると共に、該下部の床３の上方位置に上部の床２を設けて、該上部の床２上に立軸ポンプの原動機１３と減速機１５を設置し、上記ポンプ軸５の上端を、エルボ管１０を貫通させて外へ取り出して上部の床２上に設置した減速機１５に連結し、原動機１３により出力軸１４、減速機１５を介してポンプ軸５に動力が伝達されるようにし、更に、上記エルボ管１０に、中間部に吐出弁１６を備えて出口部に逆流防止弁１７を備えた主配管１８を接続して、該主配管１８の出口部を吐出水槽１９内に臨ませるようにし、原動機１３の駆動でポンプ軸５を駆動して羽根車６を回転させることにより、ベルマウス７を通して吐き出しボウル８内に吸い込んだ水を上方へ吐き出し、揚水管９、エルボ管１０、主配管１８を通して吐出水槽１９内に排出させられるようにしてある。
【０００３】
しかしながら、かかる従来の立軸ポンプの場合、ポンプ建屋４が、原動機１３を設置するための上部の床２とポンプ本体１１を設置するための下部の床３とを有する２床構造であるため、ポンプ建屋４の高さが高くなり、建築費が嵩む問題があり、又、メンテナンスは上下２つの床２，３上で行う必要があることから、メンテナンス作業全体が煩雑になるという問題がある。
【０００４】
そのため、原動機とポンプ本体とを設置するために上下２つの床を使用する型式に代え、原動機とポンプ本体とを同一床上に設置して、1つの床上でメンテナンスを行うことができるようにするための工夫がなされ、従来、図８に概略を示す如く、原動機の出力軸に連結するようにした水平入力軸２０や、該水平入力軸２０側から受けた回転力を中間伝達機構部２２を介してポンプ軸５の上端部に伝えるようにした垂直出力軸２１等をケーシング２４に組み付けてなる動力伝達機構２３を、ポンプ本体１１のエルボ管１０の背側外壁部に一体的に取り付け、且つポンプ本体１１を貫通させて設置する図７の下部の床３に相当する床上に原動機を設置できるようにしてあるもの（特開平１１−１９３７９９号公報）や、図９に概略を示す如く、図８に示したものと同様な水平入力軸２０や垂直出力軸２１等をケーシング２４に組み付けてなる動力伝達機構を、別体型の動力伝達ユニット２５として構成し、該動力伝達ユニット２５を、ポンプ本体１１のエルボ管１０の背側外壁部に設けた上下２つの設置座２６ａ，２６ｂに対し着脱可能に設置するようにしたもの（特開２０００−２７７８５号公報）が提案されている。
【０００５】
【発明が解決しようとする課題】
ところが、図８に示される立軸ポンプの場合、動力伝達機構２３がエルボ管１０と一体構造となっているため、エルボ管１０の形状（鋳物形状）が非常に複雑となり、メンテナンスに多大の労力を要する問題がある。
【０００６】
一方、図９に示される立軸ポンプの場合は、動力伝達機構がユニット構造となっているため、図８に示される立軸ポンプの場合に比してメンテナンスは楽であるが、２つの設置座２６a，２６ｂに動力伝達ユニット２５を同時に取り付ける必要があるため、メンテナンス時の動力伝達ユニット２５の着脱作業が面倒である。又、エルボ管１０の背側外壁部に２つの設置座２６ａ，２６ｂを設けることから、座の加工面が多くなるという問題もある。
【０００７】
そこで、本発明は、図８、図９に示す従来方式の問題点を解消してメンテナンス時の動力伝達ユニットの着脱作業を容易に行うことができるようにする立軸ポンプを提供しようとするものである。
【０００８】
【課題を解決するための手段】
本発明は、上記課題を解決するために、ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、床に下向きに貫通させて設置し、上記ポンプ軸を原動機で駆動するようにしてある立軸ポンプにおいて、上記エルボ管の背側上部に、ポンプ軸貫通部からエルボ管の外側方向へ水平に所要量張り出すように設置座を１個所だけ設け、且つ上記ポンプ本体を設置した床と同一床上に設置した原動機に連結させる水平入力軸と該水平入力軸側から回転力を上記ポンプ軸に伝えるようにする動力伝達機構を備えた動力伝達ユニットを、上記設置座に、該動力伝達ユニットに有する上部ケーシングの下面板に設けたベースを介して着脱可能に設置してポンプ本体に組み付けるようにした構成とする。
【０００９】
設置座をポンプ本体の１個所だけに設けた構成としてあることから、動力伝達ユニットの着脱作業を容易に行うことができ、メンテナンスを楽に行うことができる。
【００１０】
又、動力伝達ユニットに有する上部ケーシングの下面に、設置座へ載置させるためのベースを取り付けた構成としてあるので、動力伝達ユニットを安定支持することができる。
【００１１】
更に、動力伝達ユニットの上部ケーシングの上面板と下面板に設けた軸挿通孔に挿通させて垂直出力軸を支持させるようにし、且つ上記下面板の軸挿通孔部分に油封装置を装備させると共に、エルボ管のポンプ軸貫通部に水封装置を装備させて、油封装置と水封装置を上下で対峙させるようにした構成とすることにより、動力伝達ユニットの潤滑油漏れ及び動力伝達ユニット内へのポンプ水の混入を未然に防ぐことができる。
【００１２】
更に又、水封装置の上面部に、トレイ部を形成した構成とすることにより、水封装置上に生じたポンプ水によるドレンをトレイ部で受けることができると共に、油封装置から潤滑油が漏れるような事態が発生したとしても、トレイ部で受けることができて、これらの周囲への飛散を防ぐことができる。
【００１３】
【発明の実施の形態】
以下、本発明の実施の形態を図面を参照して説明する。
【００１４】
図１乃至図４は本発明の実施の一形態を示すもので、図７に示す立軸ポンプと同様に、ポンプ本体１１を、エルボ管１０の下端部位置がリング状の取付座１２を介して床３に貫通支持されるように設置してある構成において、上記エルボ管１０の背側外壁部上に、ポンプ軸貫通部２７の位置から外側方向へ水平に所要量張り出すように設置座２８を１個所だけ設け、且つポンプ本体１１を設置した床３と同一床上に設置した原動機１３の出力軸１４に連結するようにした水平入力軸２０と該水平入力軸２０側から受けた回転力をポンプ軸５に伝えるようにした動力伝達機構４９を有する動力伝達ユニット２９を、上記設置座２８に上方から着脱可能に設置する。
【００１５】
詳述すると、上記設置座２８は、平面から見て、エルボ管１０のポンプ軸貫通部２７を取り囲む如き形状としてあって取り囲みの両端がエルボ管１０の外側方へ向けて所要量延在するようにしてあり、且つ座面となる上面を水平に加工して、エルボ管１０の背側外壁部に突設したリブ３０によりエルボ管１０に支持させるようにしてある。
【００１６】
上記動力伝達ユニット２９は、エルボ管１０の背側外壁部から外側へ貫通突出するポンプ軸５の上端部側の位置を包囲して水平方向に張り出すようにした上部ケーシング３１と、上記設置座２８に対応する形状としてポンプ軸５の周囲を取り囲めるように上部ケーシング３１の下面に設けられボルト３２により設置座２８に着脱可能に取り付けるようにしたベース３３と、上記上部ケーシング３１の外周部一側に下方へ向けて延びるように連設して上記設置座２８の両端部のリブ３０の間に入り込むようにさせるサイドケーシング３４とを有する。
【００１７】
上記サイドケーシング３４には、外側板３４ａの所要の高さ位置に、軸箱３５を水平方向に貫通させて取り付け、該軸箱３５に、先端部（内端部）にベベルギヤ３６を有し後端部（外端部）を原動機１３の出力軸１４に継手３７で連結できるようにした水平入力軸２０を挿入して、該水平入力軸２０を軸箱３５に保持させた軸受３８に回転自在に支持させ、上記ベベルギヤ３６に噛合させるようにしたベベルギヤ３９を下端部側に設けた中間軸４０を、サイドケーシング３４内の位置から上部ケーシング３１の下面板３１ｂを貫通させて上面板３１ａの位置まで達するようにポンプ軸５と平行に上下方向に配置して、該中間軸４０の上端部を、上記上部ケーシング３１の上面板３１ａの部分に固定した軸箱４１内の軸受４２に支承させると共に、中間軸４０の下端部を、サイドケーシング３４の内壁に固定した軸箱４３内のラジアル軸受４４に支承させるようにしてある。
【００１８】
又、上記上部ケーシング３１には、上面板３１ａと下面板３１ｂに、軸挿通孔４５と４６を設けて、これら軸挿通孔４５，４６に、ポンプ軸５の上端部外周に上方から嵌装させてキー結合するようにしたパイプ状の垂直出力軸２１を配置し、該垂直出力軸２１を、軸挿通孔４５の部分でスラスト軸受４７とラジアル軸受４８に、又、軸挿通孔４６の部分でラジアル軸受４８にそれぞれ回転自在に支持させ、且つ上記垂直出力軸２１の上部ケーシング３１内に位置する部分の外周に、ギヤ５０を取り付けると共に、該ギヤ５０を、上記中間軸４０の上端部に取り付けたギヤ５１に噛合させた構成とし、上記原動機１３の駆動で水平入力軸２０を回転させ、その回転力をベベルギヤ３６，３９を介し中間軸４０に伝え、更に、ギヤ５１とギヤ５０で回転速度を変速してから垂直出力軸２１を介しポンプ軸５に伝えるようにしてある。なお、上記ベベルギヤ３６から垂直出力軸２１までの間で動力伝達機構４９が構成されるようにしてある。
【００１９】
更に、上部ケーシング３１の下面板３１ｂに形成された軸挿通部４６の下部位置には、油封装置５２を装備させ、一方、エルボ管１０のポンプ軸貫通部２７には、ブッシュ５３の他に、該ブッシュ５３の上部に水封装置５４を装備させて、油封装置５２と水封装置５４とを上下で対峙させるようにし、且つ該水封装置５４には、ポンプ水によるドレンや上記油封装置５２から漏れた潤滑油等を受けるためのトレイ部５４ａを上面部に形成した構成としてある。
【００２０】
なお、５５は上部ケーシング３１の上面板３１ａより上方へ突出する垂直出力軸２１の上端部を覆うようにしたヘッドカバー、５６はサイドケーシング３４の下部に形成された油溜りを示す。
【００２１】
上記構成としてあるため、水平入力軸２０の高さ位置を原動機１３の出力軸１４に合わせて選定することで、該水平入力軸２０に連結する原動機１３を、ポンプ本体１１のエルボ管１０を取り付ける床３上に設置することができ、立軸ポンプ全体の高さを低くすることができる。したがって、図７に示す如きポンプ建屋４を、１床式として背丈を低くして構築することができる。又、横軸ポンプを立軸ポンプに変更する場合でも建屋の改築を不要とすることができる。
【００２２】
上記において、動力伝達ユニット２９は、図４に示す如く、ポンプ本体１１のエルボ管１０に設けた設置座２８に対しベース３３の部分を載せてボルト３２止めするだけで容易に設置することができると共に、ボルト３２を取り外すことで容易に分離できるので、メンテナンスを楽に行うことができる。又、上記設置座２８は１つだけであるが、ポンプ軸貫通部２７の周囲からエルボ管１０の背側外壁部外側方へ向けて長く延在するような形状としてあると共に、エルボ管１０の背側外壁部から立てたリブ３０によって堅固に支持されているため、動力伝達ユニット２９を安定して設置することができ、しかも該動力伝達ユニット２９のサイドケーシング３４は設置座２８の両端部を支えるリブ３０の間に入り込ませるようにしてあるため、全体をコンパクトに設計することができる。更に、動力伝達ユニット２９側には、上部ケーシング下面板３１ｂの軸挿通孔４６部に油封装置５２が装備されており、ポンプ本体１１側には、エルボ管１０のポンプ軸貫通部２７に水封装置５４が装備されているため、ポンプ水が動力伝達ユニット２９内に混入して運転停止を生じさせてしまうような事態の発生を未然に防ぐことができ、又、水封装置５４上にポンプ水によるドレンが発生したり、万一、油封装置５２の部分から潤滑油が漏れてきたとしても、水封装置５４の上面部に設けてあるトレイ部５４ａでドレンや潤滑油を受けることができるので、周辺をドレンや油で汚染してしまうようなこともない。
【００２３】
次に、図５は本発明の実施の他の形態を示すもので、図１乃至図４に示した立軸ポンプと同様な構成において、動力伝達ユニット２９の上部ケーシング３１の更に上側にトップケーシング５７を設けて、該トップケーシング５７内に、垂直出力軸２１を支持するスラスト軸受４７や中間軸４０の上端部を支持する軸受４２等の部分が収容されるようにし、且つ中間軸４０の上方に位置するトップケーシング５７上に、その入力軸５８がトップケーシング５７内に下向きに突入するように注油ポンプ５９を設置し、一方、上記中間軸４０の上端に延長軸６０を設け、該延長軸６０と上記注油ポンプ５９の入力軸５８に、互に噛合するように伝達ギヤ６１と６２を取り付けて、中間軸４０の回転力により注油ポンプ５９が駆動されるようにし、更に、注油ポンプ５９には、一端をサイドケーシング３４の油溜り５６に連通させた配管６３の他端を接続して、注油ポンプ５９の駆動により油溜り５６にある潤滑油が吸い上げられて上方から各ギヤや軸受に供給されるようにしたものである。
【００２４】
図５に示すように構成すると、原動機１３の駆動力の一部を取り出して注油ポンプ５９を駆動することができ、潤滑油を効率よく循環使用することができる。
【００２５】
なお、本発明は、上記実施の形態にのみ限定されるものではなく、たとえば、図６に示す如く、水平入力軸２０をサイドケーシング３４に対し斜めに配置してもよいこと、スラスト軸受４７は下部のラジアル軸受４８の位置に組み付けるようにしてもよいこと、その他本発明の要旨を逸脱しない範囲内において種々変更を加え得ることは勿論である。
【００２６】
【発明の効果】
以上述べた如く、本発明の立軸ポンプによれば、ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、床に下向きに貫通させて設置し、上記ポンプ軸を原動機で駆動するようにしてある立軸ポンプにおいて、上記エルボ管の背側上部に、ポンプ軸貫通部からエルボ管の外側方向へ水平に所要量張り出すように設置座を１個所だけ設け、且つ上記ポンプ本体を設置した床と同一床上に設置した原動機に連結させる水平入力軸と該水平入力軸側から回転力を上記ポンプ軸に伝えるようにする動力伝達機構を備えた動力伝達ユニットを、上記設置座に、該動力伝達ユニットに有する上部ケーシングの下面板に設けたベースを介して着脱可能に設置してポンプ本体に組み付けるようにした構成としてあるので、メンテナンス時等に動力伝達ユニットの着脱作業を容易に行うことができ、又、動力伝達ユニットに有する上部ケーシングの下面板に、設置座へ載置させるためのベースを取り付けた構成としてあるので、動力伝達ユニットを１個所だけの設置座でも安定支持することができる。更に、動力伝達ユニットの上部ケーシングの上面板と下面板に設けた軸挿通孔に挿通させて垂直出力軸を支持させるようにし、且つ上記下面板の軸挿通孔部分に油封装置を装備させると共に、エルボ管のポンプ軸貫通部に水封装置を装備させて、油封装置と水封装置を上下で対峙させるようにした構成とすることにより、動力伝達ユニットの潤滑油の漏れ及び動力伝達ユニット内へのポンプ水の混入を未然に防ぐことができて信頼性を向上させることができ、更に又、水封装置の上面部に、トレイ部を形成した構成とすることによって、水封装置上にドレンが発生したり油封装置から潤滑油が万一漏れたとしても、これらをトレイ部で受けることができて、周囲の汚染を防ぐことができる、等の優れた効果を発揮する。
【図面の簡単な説明】
【図１】本発明の立軸ポンプの実施の一形態を示す概要図である。
【図２】図１のＡ−Ａ方向矢視図である。
【図３】図１のＢ−Ｂ方向矢視図である。
【図４】設置座とベースとの取合関係を示す斜視図である。
【図５】本発明の実施の他の形態を示す概要図である。
【図６】本発明の実施の更に他の形態を示す平面図である。
【図７】従来の立軸ポンプの一例を示す概略図である。
【図８】図７の従来の立軸ポンプを改善するためになされた従来の立軸ポンプの一例を示す部分図である。
【図９】図７の従来の立軸ポンプを改善するためになされた従来の立軸ポンプの他の例を示す部分図である。
【符号の説明】
３  床
５  ポンプ軸
６  羽根車
８  吐き出しボウル
９  揚水管
１０  エルボ管
１１  ポンプ本体
１３  原動機
２０  水平入力軸
２１  垂直出力軸
２７  ポンプ軸貫通部
２８  設置座
２９  動力伝達ユニット
３１  上部ケーシング
３１ａ  上面板
３１ｂ  下面板
４５，４６  軸挿通孔
４９  動力伝達機構
５２  油封装置
５４  水封装置
５４ａ  トレイ部
【図１】
0004651170.tif 000002
【図２】
0004651170.tif 000003
【図３】
0004651170.tif 000004
【図４】
0004651170.tif 000005
【図５】
0004651170.tif 000006
【図６】
0004651170.tif 000007
【図７】
0004651170.tif 000008
【図８】
0004651170.tif 000009
【図９】
0004651170.tif 000010